(57)【特許請求の範囲】
【請求項１】
一辺部と他辺部とを角状に配置してなる長尺の出隅柱において，上記一辺部は，施工時に隣接させる建築板の柄模様と異なる柄模様を有し，施工時に隣接させる建築板に近い近接部が上記建築板と同じ色彩を有していることを特徴とする出隅柱。
【請求項２】
請求項１において，上記一辺部は，施工時に隣接させる建築板の材質と異なる材質よりなることを特徴とする出隅柱。
【請求項３】
請求項１又は２のいずれか一項において，上記一辺部と他辺部とは，互いに異なる巾を有していることを特徴とする出隅柱。
【請求項４】
請求項１〜３のいずれか一項において，上記近接部以外の角部近傍は上記建築板と異なる色彩を有することを特徴とする出隅柱。
【請求項５】
請求項１〜４のいずれか一項において，上記出隅柱は，窯業系外壁材により作製されていることを特徴とする出隅柱。
【発明の詳細な説明】
【０００１】
【技術分野】
本発明は，建築物の壁面に対して，板状の建築板によって被覆できない出隅部を被覆する出隅柱に関する。
【０００２】
【従来技術】
図７に示すごとく，従来の出隅柱９は，一辺部９１と他辺部９２との２枚の部材を直角状に接合することにより作製されている。上記出隅柱９の製造工程を図８に示す。
即ち，図８（ａ）に示すごとく，施工時に隣接させる建築板２（図７）と柄模様，色彩及び材質が同じ外壁材９０を用意する。次いで，図８（ｂ）に示すごとく，上記外壁材９０を巾切して，同じ巾Ｗ９の２枚の部材（一辺部９１，他辺部９２）を作製する。
【０００３】
次いで，図８（ｃ）に示すごとく，上記一辺部９１の端部９１５と上記他辺部９２の端部９２５とを留切して，互いの接合部分を形成する。なお，これと共に，上記一辺部９１，他辺部９２の端部の面取りをしておく。次いで，図８（ｄ）に示すごとく，上記一辺部９１の端部９１５と上記他辺部９２の端部９２５とを，タッカー９４及び接着剤９５を用いて接合する。
【０００４】
次いで，図８（ｅ）に示すごとく，上記接着剤９５が硬化するまで両者を養生する。次いで，図８（ｆ）に示すごとく，接合された端部９１５，９２５の面取りをする。その後，溝加工，仕上げ塗装等を施して，図７に示すごとき出隅柱９を完成する。
また，出隅柱９と隣接させる建築板２は，上記出隅柱９を切り出したものと同一の外壁材９０を用いる。なお，上記出隅柱９と建築板２とは，どちらも上記外壁材９０の巾と略等しい高さを有する。
【０００５】
【解決しようとする課題】
しかしながら，上記従来の出隅柱においては，次の問題がある。
即ち，上記出隅柱９は，隣接させる建築板２と同じ柄模様，色彩及び材質の外壁材９０を用いて製造する必要がある。これは，図７に示すごとく，建築物の外観を，出隅柱だけが目立ってしまわないような画一的なものとするためである。
【０００６】
また，そのため，上記出隅柱９は，隣接させる建築板２の柄模様と自身の柄模様とが連続的に形成されるように，柄模様を考慮して製造しなければならない。それ故，出隅柱９の製造は非常に困難である。
即ち，柄模様を考慮せずに出隅柱９を製造した場合には，施工時において出隅柱９と建築板２との柄合わせに熟練を要したり，出隅柱９と建築板２との間で両者の柄模様が寸断されて，美観を損なうおそれがあるからである。
【０００７】
本発明は，かかる従来の問題点に鑑みてなされたもので，製造容易かつ施工容易で，意匠のバリエーションに富む出隅柱を提供しようとするものである。
【０００８】
【課題の解決手段】
請求項１に記載の発明は，一辺部と他辺部とを角状に配置してなる長尺の出隅柱において，上記一辺部は，施工時に隣接させる建築板の柄模様と異なる柄模様を有し，施工時に隣接させる建築板に近い近接部が上記建築板と同じ色彩を有していることを特徴とする出隅柱にある。
【０００９】
本発明において最も注目すべきことは，上記出隅柱の一辺部の柄模様が，施工時に隣接させる建築板の柄模様と異なることである。
また，上記他辺部は，施工時に隣接させる建築板の柄模様と異なる柄模様を有していてもよいし，同じ柄模様を有していてもよい。なお，上記一辺部の柄模様は，上記他辺部の柄模様と異なっていても同じでもよい。
【００１０】
次に，本発明の作用効果につき説明する。
本発明においては，上記出隅柱の柄模様が，隣接させる建築板の柄模様と異なっている。そのため，上記建築板の柄模様とは関係なく上記出隅柱を製造することができる。それ故，柄模様を考慮する必要がなく，上記出隅柱を容易に製造することができる。
【００１１】
また，それ故，必ずしも従来のごとく一辺部と他辺部とを角状に接合する必要がなく，例えば成形型を用いて出隅柱を角状に一体成形することもでき，出隅柱の製造が容易である。
なお，必要に応じて，一辺部と他辺部とを接着剤等により接合して出隅柱を作製することもできる。
【００１２】
また，施工時において出隅柱と建築板との柄合わせを行う必要がないので，施工が容易である。
また，上記出隅柱は，上記建築板との意匠上の制約を受けない。そのため，上記出隅柱の柄模様として，多種多様な柄模様を適用することができる。
これにより，出隅柱と建築板との間で柄模様を意図的に変化させることが可能となり，例えば建築物の外観を出隅柱がアクセントとなるような斬新なものとする等，建築物の外観性を優れたものとすることができる。
【００１４】
次に，請求項２の発明は，一辺部と他辺部とを角状に配置してなる出隅柱において，上記一辺部は，施工時に隣接させる建築板の材質と異なる材質よりなることを特徴とする出隅柱にある。
この場合には，上記出隅柱の材質が，隣接させる建築板の材質と異なっている。そのため，上記出隅柱の材質として，多種多様な材質を適用することができる。
その他，請求項１と同様の効果を得ることができる。
【００１５】
次に，請求項３の発明のように，上記一辺部と他辺部とは，互いに異なる巾を有することが好ましい。
この場合には，上記出隅柱と，これに隣接させる建築板との間に施される目地シーリングの位置を，任意に設定することができる。そのため，目地シーリングの位置の変化により，建築物の外観に従来とは異なった変化をつけることができる。
【００１６】
また，一辺部と他辺部とを角状に配置してなる出隅柱において，上記一辺部は，上記他辺部の柄模様と異なる柄模様を有することが好ましい。
この場合には，上記一辺部の柄模様が，上記他辺部の柄模様と異なっている。そのため，上記出隅柱の一辺部側と他辺部側とで，柄模様を意図的に切り換えることができる。
上記のことは，柄模様だけでなく，色彩についても同様である。
【００１７】
これにより，例えば，出隅柱における日照条件の良い側に対して，地味な柄模様や，彩度の低い色彩を与え，日照条件の悪い側に対して，華やかな柄模様や，彩度の高い色彩を与えることが可能となる。そのため，日照条件を考慮して，建築物の壁面の意匠（柄模様，色彩）を選定することが可能となる。
【００１８】
また，一辺部と他辺部とを角状に配置してなる出隅柱において，上記一辺部は，上記他辺部の材質と同じ材質よりなることが好ましい。
この場合には，例えば成形型を用いて出隅柱を角状に一体成形することができる。また，例えば上記一辺部と他辺部とを別個に作製しておき，両者の各端部を直角状に接着剤等により接合して，出隅柱を作製する場合に，両者を強固に接合できる。
【００２０】
次に，請求項４の発明のように，上記近接部以外の角部近傍は上記建築板と異なる色彩を有することが好ましい。
この場合には，上記出隅柱の色彩のバリエーションをより一層豊富にすることができる。
その他，請求項１と同様の効果を得ることができる。
【００２１】
次に，請求項５の発明のように，上記出隅柱は，窯業系外壁材により作製されていることが好ましい。
この場合には，品質，施工性に優れた窯業系外壁材の特性を活かして，上記出隅柱の品質，施工性を優れたものとすることができる。
【００２２】
【発明の実施の形態】
実施形態例１
本発明の実施形態例にかかる出隅柱につき，図１を用いて説明する。
本例の出隅柱１は，図１に示すごとく，一辺部１１と他辺部１２とを直角状に配置してなる。上記一辺部１１は，施工時に隣接させる建築板２１の柄模様と異なる柄模様を有している。同様に，上記他辺部１２も，施工時に隣接させる建築板２２の柄模様と異なる柄模様を有している。
【００２３】
上記一辺部１１の柄模様は砂地模様であり，施工時に隣接させる上記建築板２１の柄模様であるレンガ模様とは異なる。上記他辺部１２と建築板２２についても同様である。
【００２４】
また，上記出隅柱１は，上記一辺部１１と他辺部１２とを成形型内において一体的に成形したものである。また，上記出隅柱１の材質はパルプ混入セメント押出成形板であり，施工時に隣接させる建築板２１，２２の材質であるスラグセメントパーライト板とは異なる。
また，上記出隅柱１の色彩は，上記建築板２１，２２の色彩と同じ赤茶色である。また，上記一辺部１１の巾Ｗ１は上記他辺部１２の巾Ｗ２と等しい。
【００２５】
上記出隅柱１及び上記建築板２１，２２は，金具又はビス（図示略）により，縦胴縁３１を介して柱３２に固定される。なお，上記縦胴縁３１と柱３２との間には防水紙（図示略）を配設する。また，上記一辺部１１と建築板２１との間の縦目地には，ハットジョイナー３３を用いてコーキング材（図示略）により目地シーリングを施す。
なお，図中の符号１１８，１２８は面取り部である。
【００２６】
次に，本例の作用効果につき説明する。
本例においては，上記出隅柱１の柄模様が，隣接させる建築板２１，２２の柄模様と異なっている。そのため，上記建築板２１，２２の柄模様とは関係なく上記出隅柱１を製造することができる。それ故，柄模様を考慮する必要がなく，上記出隅柱１を容易に製造することができる。
【００２７】
また，上記出隅柱１は，上記一辺部１１と他辺部１２とを成形型内において一体成形することにより，作製することができる。そのため，従来例に示すように上記一辺部１１と他辺部１２とを接合する場合に比べて，出隅柱１の製造がさらに容易になる。
【００２８】
また，施工時において出隅柱１と建築板２１，２２との柄合わせを行う必要がないので，施工が容易である。
特に，横張り工法においては，上記出隅柱１を上記建築板２１，２２と同じ高さにする必要がないため，長尺出隅柱として形成することにより，これまでのように柱や縦胴縁を被覆するために必要であった複数の出隅柱の数をまとめて１本にすることができ，施工をさらに容易にすることができる。
なお，従来例における横張り工法では，上記出隅柱と建築板とを同一の外壁材から切り出しているので，上記出隅柱と建築板の高さが共に短い。そのため，１ヶ所の出隅部を被覆するために複数の出隅柱が必要である。
【００２９】
また，上記出隅柱１は，上記建築板２１，２２との意匠上の制約を受けない。そのため，上記出隅柱１の柄模様として，上記砂地模様に限らず，例えば木目模様，石目模様等の，多種多様な柄模様を適用することができる。
これにより，出隅柱１と建築板２１，２２との間で柄模様を意図的に変化させることが可能となり，建築物の外観を出隅柱１がアクセントとなるような斬新なものとして，建築物の外観性を優れたものとすることができる。
【００３０】
また，上記出隅柱１の材質が，隣接させる建築板２１，２２の材質と異なっている。そのため，上記出隅柱１の材質として，上記窯業系材質に限らず，例えばアルミニウム，ＦＲＰ，ポリ塩化ビニル，スチール等の，多種多様な材質を適用することができる。
【００３１】
なお，上記建築板２１，２２と異なった柄模様の別の外壁材より，上記一辺部１１と他辺部１２とを別個に作製しておき，両者の各端部を直角状に接着剤等により接合して，出隅柱１を作製することもできる。
【００３２】
なお，本例においては，木造造りの施工例を示しているが，上記出隅柱１は鉄骨造りの場合にも適用することができる。
【００３３】
実施形態例２
本例は，図２に示すごとく，上記一辺部１１と他辺部１２とが，互いに異なる巾Ｗ１，Ｗ２を有する例である。即ち，上記一辺部１１の巾Ｗ１を上記他辺部１２の巾Ｗ２よりも広くしたものである。その他は，実施形態例１と同様である。
【００３４】
本例においては，上記出隅柱１と，これに隣接する建築板２１，２２との間に施されるハットジョイナー３３やコーキング材の位置を，任意に設定することができる。そのため，上記出隅柱１の一辺部１１と上記建築板２１との間における目地シーリングの位置が，従来例や実施形態例１に比べて図の左方に変化する。これにより，建築物の外観に従来とは異なった変化をつけることができる。
その他，実施形態例１と同様の作用効果を得ることができる。
【００３５】
実施形態例３
本例は，図３に示すごとく，上記他辺部１２が，隣接させる建築板２２の色彩と異なる色彩を有し，かつ上記一辺部１１が，隣接させる建築板２１の柄模様と一部分同じ柄模様を有する例である。
【００３６】
即ち，上記他辺部１２は，施工時に隣接させる建築板２２と異なる柄模様（砂地模様），及び色彩（こげ茶色）を有する。
上記一辺部１１は，施工時に隣接させる建築板２１に近い近接部１１１と，上記近接部１１１以外の角部近傍１１２とよりなり，上記近接部１１１は上記建築板２１と同じ色彩（赤茶色）を有し，上記角部近傍１１２は上記建築板２１と異なる色彩（こげ茶色）を有する。
【００３７】
また，上記近接部１１１は上記建築板２１と同じ柄模様（レンガ模様）を有し，上記角部近傍１１２は上記建築板２１と異なる柄模様（砂地模様）を有する。その他は，実施形態例２と同様である。
【００３８】
本例においては，上記他辺部１２の色彩が，隣接させる建築板２２の色彩と異なっている。そのため，上記出隅柱１は，上記建築板２２との意匠上の制約を受けない。それ故，上記出隅柱１の色彩として，上記こげ茶色に限らず，例えば茶褐色，黒等の，多種多様な色彩を適用することができる。
【００３９】
さらに，上記一辺部１１においても，上記近接部１１１が上記建築板２１と同じ柄模様及び色彩を有し，上記角部近傍１１２が上記建築板２１と異なる柄模様及び色彩を有する。そのため，上記出隅柱１の意匠（柄模様，色彩）のバリエーションをより一層豊富にすることができる。
その他，実施形態例１，２と同様の作用効果を得ることができる。
【００４０】
実施形態例４
本例は，図４に示すごとく，上記出隅柱１の一辺部１１において，互いに異なる２つの柄模様を有するもうひとつの例であり，上記近接部１１１と角部近傍１１２との境界が凸凹状であるところが実施形態例３と異なる。その他は，実施形態例３と同様である。
本例においても，実施形態例３と同様の作用効果を得ることができる。
【００４１】
実施形態例５
本例は，図５に示すごとく，上記出隅柱１を，窯業系外壁材としての木片セメント板により作製した例である。
即ち，上記一辺部１１と他辺部１２とは，上記木片セメント板を巾切，留切することにより，別個に作製されており，両者の各端部１１５，１２５は，直角状に接着剤等により接合されている。
【００４２】
また，上記一辺部１１は，隣接させる建築板２１の材質と異なる材質よりなる。上記一辺部１１の材質は木片セメント板であり，施工時に隣接させる建築板２１の材質であるスラグセメントパーライト板とは異なる。上記他辺部１２と建築板２２についても同様である。
また，上記出隅柱１は，上記建築板２１，２２と同じ柄模様（レンガ模様），及び色彩（赤茶色）を有する。その他は，実施形態例２と同様である。
【００４３】
本例においては，上記出隅柱１が，窯業系外壁材により作製されているため，品質，施工性に優れた窯業系外壁材の特性を活かして，上記出隅柱１の品質，施工性を優れたものとすることができる。
また，上記出隅柱１の材質が，隣接させる建築板２１，２２の材質と異なっている。そのため，上記出隅柱１の材質として，窯業系における多種多様な材質を適用することができる。
その他，実施形態例２と同様の作用効果を得ることができる。
【００４４】
実施形態例６
本例は，図６に示すごとく，上記出隅柱１の色彩（こげ茶色）が，上記建築板２１，２２の色彩（赤茶色）と異なるところが実施形態例５と異なる。その他は，実施形態例５と同様である。
本例においても，実施形態例２，５と同様の作用効果を得ることができる。
【００４５】
【発明の効果】
上述のごとく，本発明によれば，製造容易かつ施工容易で，意匠のバリエーションに富む出隅柱を提供することができる。
【図面の簡単な説明】
【図１】実施形態例１における，成形型を用いて一体成形した異柄の出隅柱の斜視図。
【図２】実施形態例２における，一辺部が巾広の出隅柱の斜視図。
【図３】実施形態例３における，一部同柄，同色の一辺部と異柄，異色の他辺部とよりなる出隅柱の斜視図。
【図４】実施形態例４における，一部同柄，同色の一辺部と異柄，異色の他辺部とよりなる他の出隅柱の斜視図。
【図５】実施形態例５における，窯業系外壁材を接合した異材の出隅柱の斜視図。
【図６】実施形態例６における，異材，異色の出隅柱の斜視図。
【図７】従来例における，同柄，同色，同材，同巾の出隅柱の斜視図。
【図８】従来例における，出隅柱の製造方法の説明図。
【符号の説明】
１．．．出隅柱，
１１．．．一辺部，
１２．．．他辺部，
２１，２２．．．建築板，
【図１】
0003918343.tif 000002
【図２】
0003918343.tif 000003
【図３】
0003918343.tif 000004
【図４】
0003918343.tif 000005
【図５】
0003918343.tif 000006
【図６】
0003918343.tif 000007
【図７】
0003918343.tif 000008
【図８】
0003918343.tif 000009